(57)【要約】【課題】一方の摘み部と他方の摘み部とを係合状態にし得るとともに大きく外径の違う複数個の農園芸用支柱に一つの農園芸用クリップが使用できる農園芸用クリップを提供する。【解決手段】この農園芸用クリップ１は、内面が凹曲面状であり互いに対向して一対をなしている一方の挟持部２Ａ及び他方の挟持部２Ｂと、一方の挟持部２Ａ及び他方の挟持部２Ｂに接続され、可撓性を有してそれらを架橋する架橋部３と、架橋部３の両端部近傍から後方に向けて突出する一対をなしている一方の摘み部４Ａ及び他方の摘み部４Ｂと、を備えており、一方の摘み部４Ａに回動可能に設けられ、一対をなしている突起５ｂ〜５ｅ’が両側面の複数箇所に形成された係合部５を更に備え、他方の摘み部４Ｂに、後端面から前方に向かって切り欠かれた凹部４１が形成されており、凹部４１には、その両側面に係合部５と係合し得る一対をなしている係合凹処４１ａ〜４１ｂ’が設けられている。【選択図】図１
2018088870.tif 000002
【特許請求の範囲】
【請求項１】
内面が凹曲面状であり互いに対向して一対をなしている一方の挟持部及び他方の挟持部と、
該一方の挟持部及び他方の挟持部に接続され、可撓性を有してそれらを架橋する架橋部と、
該架橋部の両端部近傍から後方に向けて突出する一対をなしている一方の摘み部及び他方の摘み部と、を備えており、
該一方の摘み部に回動可能に設けられ、一対をなしている突起が両側面の複数箇所に形成された係合部を更に備え、
前記他方の摘み部に、後端面から前方に向かって切り欠かれた凹部が形成されており、
該凹部には、その両側面に前記係合部と係合し得る一対をなしている係合凹処が設けられていることを特徴とする農園芸用クリップ。
【請求項２】
請求項１に記載の農園芸用クリップにおいて、
前記一対をなしている係合凹処は、前記他方の摘み部の内面が凹んで形成されており、前記係合部の前記一対をなしている突起を収容し得ることを特徴とする農園芸用クリップ。
【請求項３】
請求項２に記載の農園芸用クリップにおいて、
前記一方の摘み部及び他方の摘み部は、前記架橋部の前記両端部近傍から互いに離間しながら延出し、途中で互いに近寄り、再度互いに離間していることを特徴とする農園芸用クリップ。
【請求項４】
請求項１〜３のいずれか１項に記載の農園芸用クリップにおいて、
前記係合部の前記一対をなしている突起は、前記係合部の長さ方向に傾斜していることを特徴とする農園芸用クリップ。
【請求項５】
請求項１に記載の農園芸用クリップにおいて、
前記凹部の両側面には、前記一対をなしている係合凹処を画定し、間を前記係合部の前記一対をなしている突起以外の部分が弾性変形しつつ通過し得る一対の小隆起部分が形成されていることを特徴とする農園芸用クリップ。
【請求項６】
請求項１〜５のいずれか１項に記載の農園芸用クリップにおいて、
前記一対をなしている係合凹処は、複数箇所に設けられていることを特徴とする農園芸用クリップ。
【発明の詳細な説明】
【技術分野】
【０００１】
本発明は、農園芸用支柱に装着できる農園芸用クリップに関する。
【背景技術】
【０００２】
農園芸用クリップは、農園芸用支柱に装着するものであり、保温、防風雨、防虫、遮光等の目的で植物を被覆するシート又はネット（以下、「被覆シート」と総称する。）を農園芸用支柱に固定するために用いられるものが多い。
【０００３】
被覆シートの固定に用いられる農園芸用クリップは、一般に、内面が凹曲面状の一対をなしている一方の挟持部及び他方の挟持部と、それらに接続され架橋する可撓な架橋部と、架橋部の両端部近傍から後方に向けて突出し一対をなしている一方の摘み部及び他方の摘み部と、を備えてなる。
【０００４】
被覆シートを農園芸用支柱に固定するときは、農園芸用クリップの一方の摘み部及び他方の摘み部を摘むことにより、一方の挟持部及び他方の挟持部の内方空間の開口部（一方の挟持部及び他方の挟持部の前方の端部間の隙間）を広げて、被覆シートとともに農園芸用支柱を入れ込む。それから、摘む力を緩めて、一方の挟持部及び他方の挟持部の内方空間を元に戻るように縮まらせることにより、農園芸用支柱を、被覆シートを介在させて一方の挟持部及び他方の挟持部で挟持する。
【０００５】
被覆シートの固定に用いられる農園芸用クリップは、従来より、様々な工夫がなされて来ている。
【０００６】
例えば、特許文献１では、一方の摘み部に突っ張り用の係合部（突っ張りロック片）が回動可能に設けられ、他方の摘み部の内面に、この係合部の先端と係合し得る係合凹処（係合凹部）が複数箇所に設けられた農園芸用クリップが開示されている。係合凹処は、係合状態を保持するための円弧状突起の間に形成されている。この農園芸用クリップは、係合部の先端と係合凹処との係合が解除された状態で一方の摘み部及び他方の摘み部を摘むことにより、一方の挟持部及び他方の挟持部の内方空間の開口部を広げて被覆シートとともに農園芸用支柱を入れ込む。それから、摘む力を緩めて、農園芸用支柱を、被覆シートを介在させて一方の挟持部及び他方の挟持部で挟持する。そして、係合部の先端を係合凹処と係合させることによって、一方の摘み部及び他方の摘み部の後側部分の間を強制的に広げ、それにより一方の挟持部及び他方の挟持部の内方空間を更に縮まらせて、被覆シートを農園芸用支柱に強固に固定する。また、特許文献１では、係合凹処が複数箇所に設けられることが開示されている。
【０００７】
特許文献２では、架橋部が一方の挟持部及び他方の挟持部の外面に接続された農園芸用クリップが開示されている。この農園芸用クリップは、架橋部を長くすることができるので、軽い力で一方の挟持部及び他方の挟持部の内方空間とその開口部を広げて、農園芸用支柱に容易に着脱できる。
【０００８】
なお、農園芸用クリップは、このように被覆シートを農園芸用支柱に固定するために用いられるものの他に、特許文献３に示すように、農園芸用支柱に装着して植物の茎などを支持するために用いられるものもある。
【先行技術文献】
【特許文献】
【０００９】
【特許文献１】特開２００６−１４９３３１号公報
【特許文献２】特開２０１５−１９２６４３号公報
【特許文献３】特開２００１−０３７３４６号公報
【発明の概要】
【発明が解決しようとする課題】
【００１０】
特許文献１に開示のもののように、一方の摘み部と他方の摘み部とを係合状態にし得る農園芸用クリップは、激しい風雨のときなどで、一方の摘み部及び他方の摘み部に内方に向かって力が加わっても、一方の挟持部及び他方の挟持部の内方空間の開口部が広がらないので、農園芸用支柱から外れ難く、被覆シートを農園芸用支柱に固定し続けることができる。このような農園芸用クリップは、特許文献２に開示のものなどにも適用可能である。
【００１１】
しかしながら、特許文献１に開示の農園芸用クリップは、農園芸用支柱の外径の違いには、係合凹処を複数箇所に設けて対応できるとしているものの、規格の違い（例えば、外径が１１ｍｍ、１６ｍｍ、又は２０ｍｍ）などによって大きく外径の違う複数個の農園芸用支柱に一つの農園芸用クリップが使用できるものではない。
【００１２】
本発明は、係る事由に鑑みてなされたものであり、その目的は、一方の摘み部と他方の摘み部とを係合状態にし得るとともに、大きく外径の違う複数個の農園芸用支柱に一つの農園芸用クリップが使用できる農園芸用クリップを提供することにある。
【課題を解決するための手段】
【００１３】
上記目的を達成するために、請求項１に記載の農園芸用クリップは、内面が凹曲面状であり互いに対向して一対をなしている一方の挟持部及び他方の挟持部と、該一方の挟持部及び他方の挟持部に接続され、可撓性を有してそれらを架橋する架橋部と、該架橋部の両端部近傍から後方に向けて突出する一対をなしている一方の摘み部及び他方の摘み部と、を備えており、該一方の摘み部に回動可能に設けられ、一対をなしている突起が両側面の複数箇所に形成された係合部を更に備え、前記他方の摘み部に、後端面から前方に向かって切り欠かれた凹部が形成されており、該凹部には、その両側面に前記係合部と係合し得る一対をなしている係合凹処が設けられていることを特徴とする。
【００１４】
請求項２に記載の農園芸用クリップは、請求項１に記載の農園芸用クリップにおいて、前記一対をなしている係合凹処は、前記他方の摘み部の内面が凹んで形成されており、前記係合部の前記一対をなしている突起を収容し得ることを特徴とする。
【００１５】
請求項３に記載の農園芸用クリップは、請求項２に記載の農園芸用クリップにおいて、前記一方の摘み部及び他方の摘み部は、前記架橋部の前記両端部近傍から互いに離間しながら延出し、途中で互いに近寄り、再度互いに離間していることを特徴とする。
【００１６】
請求項４に記載の農園芸用クリップは、請求項１〜３のいずれか１項に記載の農園芸用クリップにおいて、前記係合部の前記一対をなしている突起は、前記係合部の長さ方向に傾斜していることを特徴とする。
【００１７】
請求項５に記載の農園芸用クリップは、請求項１に記載の農園芸用クリップにおいて、前記凹部の両側面には、前記一対をなしている係合凹処を画定し、間を前記係合部の前記一対をなしている突起以外の部分が弾性変形しつつ通過し得る一対の小隆起部分が形成されていることを特徴とする。
【００１８】
請求項６に記載の農園芸用クリップは、請求項１〜５のいずれか１項に記載の農園芸用クリップにおいて、前記一対をなしている係合凹処は、複数箇所に設けられていることを特徴とする。
【発明の効果】
【００１９】
本発明の農園芸用クリップによれば、一方の摘み部と他方の摘み部とを係合状態にし得るとともに、大きく外径の違う複数個の農園芸用支柱に一つの農園芸用クリップが使用できる。
【図面の簡単な説明】
【００２０】
【図１】本発明の実施形態に係る農園芸用クリップを示す斜視図である。
【図２】同上の農園芸用クリップを示すものであって、（ａ）が平面図、（ｂ）が正面図である。
【図３】同上の農園芸用クリップを示すものであって、Ａ−Ａで示す切断面での断面図である。
【図４】同上の農園芸用クリップを示すものであって、Ｂ−Ｂで示す切断面での断面図である。
【図５】同上の農園芸用クリップの一方の摘み部及び他方の摘み部が係合状態の場合を示すものであって、（ａ）が平面図、（ｂ）が正面図である。
【図６】同上の農園芸用クリップの一方の摘み部及び他方の摘み部が係合状態の場合を示すものであって、（ａ）がＣ−Ｃで示す切断面での断面図、（ｂ）が（ａ）における他方の摘み部の後端近傍の拡大断面図である。
【図７】同上の農園芸用クリップの一方の摘み部及び他方の摘み部が係合状態の場合を示すものであって、Ｄ−Ｄで示す切断面での断面図である。
【図８】本発明の他の実施形態に係る農園芸用クリップを示す斜視図である。
【図９】同上の図８の農園芸用クリップを示すものであって、（ａ）が平面図、（ｂ）が正面図である。
【図１０】同上の図８の農園芸用クリップを示すものであって、Ｅ−Ｅで示す切断面での断面図である。
【図１１】同上の図８の農園芸用クリップを示すものであって、Ｆ−Ｆで示す切断面での断面図である。
【図１２】同上の図８の農園芸用クリップの一方の摘み部及び他方の摘み部が係合状態の場合を示すものであって、（ａ）が平面図、（ｂ）が正面図である。
【図１３】同上の図８の農園芸用クリップの一方の摘み部及び他方の摘み部が係合状態の場合を示すものであって、Ｇ−Ｇで示す切断面での断面図である。
【図１４】同上の図８の農園芸用クリップの一方の摘み部及び他方の摘み部が係合状態の場合を示すものであって、Ｈ−Ｈで示す切断面での断面図である。
【発明を実施するための形態】
【００２１】
以下、本発明を実施するための形態を説明する。本発明の実施形態に係る農園芸用クリップ１は、図１、図２（ａ）、（ｂ）、図３、図４に示すように、一対をなしている一方の挟持部２Ａ及び他方の挟持部２Ｂと、架橋部３と、一対をなしている一方の摘み部４Ａ及び他方の摘み部４Ｂと、を備えており、更に、係合部５を備えている。一方の挟持部２Ａ、他方の挟持部２Ｂ、架橋部３、一方の摘み部４Ａ、他方の摘み部４Ｂ、係合部５は、通常、一体成形される。
【００２２】
一方の挟持部２Ａと他方の挟持部２Ｂは、それぞれ、内面が凹曲面状であり、互いに対向している。一方の挟持部２Ａ及び他方の挟持部２Ｂは、後に詳述する架橋部３とともに、略筒状の内方空間Ｓを形成しており、一方の挟持部２Ａ及び他方の挟持部２Ｂの前方の端部間の隙間が開口部ＳＯとなっている。
【００２３】
架橋部３は、一方の挟持部２Ａ及び他方の挟持部２Ｂに接続され、可撓性を有してそれらを架橋している。架橋部３は、一方の挟持部２Ａ及び他方の挟持部２Ｂの後方（図１、図２（ｂ）、図３、図４においては上方）に設けられている。本実施形態の架橋部３は、前述した特許文献２の構造と同様に、一方の挟持部２Ａ及び他方の挟持部２Ｂの外面に接続されたもの、つまり、架橋部３の両端部が一方の挟持部２Ａ及び他方の挟持部２Ｂの外面に位置するものであり、軽い力で一方の挟持部２Ａ及び他方の挟持部２Ｂの内方空間Ｓとその開口部ＳＯを広げて、後述する農園芸用支柱Ｐに容易に着脱できるようになっている。
【００２４】
一方の摘み部４Ａ及び他方の摘み部４Ｂは、架橋部３の両端部近傍から後方に向けて突出している。本実施形態の一方の摘み部４Ａ及び他方の摘み部４Ｂは、架橋部３の両端部近傍から互いに離間しながら延出し、途中で互いに近寄り、再度互いに離間している。一方の摘み部４Ａ及び他方の摘み部４Ｂはそれぞれ、例えば、長さ（前後方向の長さ）が４０〜６０ｍｍ程度、幅が２０〜３０ｍｍ程度、厚さが３〜４ｍｍ程度とすることができる。
【００２５】
係合部５は、一方の摘み部４Ａに回動可能に設けられている。係合部５は、一方の摘み部４Ａの内面に接続されており、通常、長板状である。また、係合部５は、根元に薄肉部分が形成されその薄肉部分５ａを支点として前後方向に回動（揺動）が可能である。係合部５は、例えば、長さが３０〜４０ｍｍ程度、幅が５〜２０ｍｍ程度、薄肉部分５ａ以外の厚さが３〜４ｍｍ程度、薄肉部分５ａの厚さが１ｍｍ程度とすることができる。
【００２６】
係合部５は、一対をなしている突起（突起５ｂ、５ｂ’及び突起５ｃ、５ｃ’及び突起５ｄ、５ｄ’及び突起５ｅ、５ｅ’）が両側面の複数箇所に形成されている。本実施形態では、一対をなしている突起は、４箇所に形成されている。突起５ｂ〜５ｅ’は、突起の高さ（係合部５の幅方向の長さ）ｈ（図２（ａ）参照）が１〜３ｍｍ程度、突起の幅（係合部５の長さ方向の長さ）が１．５〜３ｍｍ程度とすることができる。
【００２７】
他方の摘み部４Ｂには、後端面から前方に向かって略方形に切り欠かれた凹部４１が形成されている。凹部４１には、両側面に、係合部５の一対をなしている突起（突起５ｂ、５ｂ’及び突起５ｃ、５ｃ’及び突起５ｄ、５ｄ’）と係合し得る一対をなしている係合凹処４１ａ、４１ａ’（及び４１ｂ、４１ｂ’）が設けられている。
【００２８】
一対をなしている係合凹処４１ａ、４１ａ’（及び４１ｂ、４１ｂ’）は、他方の摘み部４Ｂの内面が凹んで形成されており（図１、図３、図４参照）、係合部５の一対をなしている突起５ｂ、５ｂ’及び突起５ｃ、５ｃ’及び突起５ｄ、５ｄ’を収容し得る。本実施形態の一対をなしている係合凹処４１ａ、４１ａ’（及び４１ｂ、４１ｂ’）は、前後方向に２箇所に設けられている。なお、係合部５の先端に位置する一対をなしている突起５ｅ、５ｅ’は、一対をなしている係合凹処４１ａ、４１ａ’（及び４１ｂ、４１ｂ’）に収容し得る必要はない。
【００２９】
凹部４１は、係合部５の一対をなしている突起５ｂ〜５ｅ’が形成されていない部分が抵抗なく通過できる幅であり、例えば、５〜２０ｍｍ程度の幅とすることができる。一対をなしている係合凹処４１ａ、４１ａ’（及び４１ｂ、４１ｂ’）のそれぞれは、例えば、他方の摘み部４Ｂの長さ方向の長さが３〜４ｍｍ程度、他方の摘み部４Ｂの幅方向の長さが１〜３ｍｍ程度、他方の摘み部４Ｂの厚さ方向の長さが１．５〜３ｍｍ程度とすることができる。
【００３０】
このような構造の農園芸用クリップ１は、以下のようにして装着して、被覆シートＣを農園芸用支柱Ｐに固定することができる（図５（ａ）、（ｂ）、図６（ａ）、（ｂ）、図７参照）。すなわち、農園芸用クリップ１は、係合部５と一対をなしている係合凹処４１ａ、４１ａ’（又は４１ｂ、４１ｂ’）との係合が解除された状態で一方の摘み部４Ａ及び他方の摘み部４Ｂを指で摘むことにより、一方の挟持部２Ａ及び他方の挟持部２Ｂの内方空間Ｓの開口部ＳＯを広げて被覆シートＣとともに農園芸用支柱Ｐを入れ込む。それから、摘む力を緩めて、一方の挟持部２Ａ及び他方の挟持部２Ｂの内方空間Ｓを元に戻るように縮まらせることにより、農園芸用支柱Ｐを、被覆シートＣを介在させて一方の挟持部２Ａ及び他方の挟持部２Ｂで挟持し、被覆シートＣを農園芸用支柱Ｐに強固に固定する。
【００３１】
それから、指で一方の摘み部４Ａ及び他方の摘み部４Ｂの後端部を少し広げながら、係合部５を前方に回動させて、係合部５の突起５ｂ〜５ｅ’が形成されていない部分を他方の摘み部４Ｂの凹部４１に通過させる。そして、所望の一対をなしている突起５ｂ、５ｂ’（又は突起５ｃ、５ｃ’、又は突起５ｄ、５ｄ’）を所望の一対をなしている係合凹処４１ａ、４１ａ’（又は４１ｂ、４１ｂ’）に位置合わせし、一方の摘み部４Ａ及び他方の摘み部４Ｂの後端部を少し広げた指の力を緩めて嵌め込み収容する。そうすることにより、図５（ａ）、（ｂ）、図６（ａ）、（ｂ）、図７に示すように、係合部５は、一対をなしている係合凹処４１ａ、４１ａ’（又は４１ｂ、４１ｂ’）に係合する。なお、これらの図では、一対をなしている突起５ｃ、５ｃ’が係合凹処４１ａ、４１ａ’に収容されて係合している状態が示されている。
【００３２】
係合部５が一対をなしている係合凹処４１ａ、４１ａ’（又は４１ｂ、４１ｂ’）と係合することにより、一方の摘み部４Ａと他方の摘み部４Ｂとが係合状態になり、農園芸用クリップ１は、激しい風雨のときなどで、一方の摘み部４Ａ及び他方の摘み部４Ｂに内方に向かって力がかかっても、一方の挟持部２Ａと他方の挟持部２Ｂの内方空間Ｓの開口部ＳＯが広がらないので、農園芸用支柱Ｐから外れ難く、被覆シートＣを農園芸用支柱Ｐに固定し続けることができる。
【００３３】
農園芸用クリップ１は、外径の違う複数個の規格（例えば、外径が１１ｍｍ、１６ｍｍ、又は２０ｍｍなど）の農園芸用支柱Ｐに使用可能である。例えば、農園芸用支柱Ｐの外径が２０ｍｍの場合、一対をなしている突起５ｂ、５ｂ’を一対をなしている係合凹処４１ａ、４１ａ’に、位置を合わせて嵌め込み収容する。もし、個々の（又は製造メーカによる）農園芸用支柱Ｐの少しの外径の違い或いは被覆シートＣの違いなどに基づいて、一方の挟持部２Ａと他方の挟持部２Ｂの内方空間Ｓを更に少し縮まらせたい場合は、一対をなしている突起５ｂ、５ｂ’を一対をなしている係合凹処４１ｂ、４１ｂ’に、位置を合わせて嵌め込み収容する。また、例えば、農園芸用支柱Ｐの外径が１６ｍｍの場合は一対をなしている突起５ｃ、５ｃ’を、農園芸用支柱Ｐの外径が１１ｍｍの場合は一対をなしている突起５ｄ、５ｄ’を、同様にして、一対をなしている係合凹処４１ａ、４１ａ’（又は４１ｂ、４１ｂ’）に、位置を合わせて嵌め込み収容する。
【００３４】
農園芸用クリップ１は、農園芸用支柱Ｐから取り外すときには、指で一方の摘み部４Ａ及び他方の摘み部４Ｂの後端部を少し広げながら、係合部５と一対をなしている係合凹処４１ａ、４１ａ’（又は４１ｂ、４１ｂ’）の係合状態を解除して係合部５を後方に回動させ、その後、一方の摘み部４Ａ及び他方の摘み部４Ｂを指で摘むことにより、一方の挟持部２Ａ及び他方の挟持部２Ｂの内方空間Ｓの開口部ＳＯを広げて被覆シートＣとともに農園芸用支柱Ｐを取り外すことができる。
【００３５】
このように、農園芸用クリップ１は、被覆シートＣを農園芸用支柱Ｐに固定するのに好適である。また、農園芸用クリップ１は、規格の違いなどによって大きく外径の違う複数個の農園芸用支柱Ｐに一つの農園芸用クリップ１が使用できる。
【００３６】
また、農園芸用クリップ１は、前述したように、一対をなしている摘み部４Ａ、４Ｂを、架橋部３の両端部近傍から互いに離間しながら延出し、途中で互いに近寄り、再度互いに離間しているようにすると、架橋部３の後方に広い空間Ｔを形成することができる。従って、農園芸用支柱Ｐに装着したときに、植物（例えば、トマト等）の茎などを空間Ｔに通し易くなり、前述した特許文献３と同様に、植物の茎などを支持するのにも好適なものとなる。
【００３７】
また、係合部５の一対をなしている突起５ｂ〜５ｄ’の後面（図６（ｂ）で突起５ｃについて符号５ｃａで示す。）は、係合部５の長さ方向（図６（ｂ）では左方向）に傾斜しているのが好ましい。より詳細には、一対をなしている突起５ｂ〜５ｄ’の後面は、先端部に近づくものほど傾斜が大きくなっているのが好ましい。そうすると、一対をなしている突起５ｂ〜５ｄ’の後面は、一対をなしている係合凹処４１ａ、４１ａ’（又は４１ｂ、４１ｂ’）の後側面（図６（ｂ）で係合凹処４１ａについて符号４１ａａで示す。）に面接触し易く、植物の茎などを支持する場合、それにより係合部５に後方に向かって大きな力がかかっても、係合状態を維持し易い。
【００３８】
次に、本発明を実施するための他の形態を説明する。本発明の他の実施形態に係る農園芸用クリップ６は、図８、図９（ａ）、（ｂ）、図１０、図１１に示すように、一対をなしている一方の挟持部７Ａ及び他方の挟持部７Ｂと、架橋部８と、一対をなしている一方の摘み部９Ａ及び他方の摘み部９Ｂと、を備えており、更に、係合部１０を備えている。一方の挟持部７Ａ、他方の挟持部７Ｂ、架橋部８、一方の摘み部９Ａ、他方の摘み部９Ｂ、係合部１０は、通常、一体成形される。
【００３９】
一方の挟持部７Ａと他方の挟持部７Ｂは、それぞれ、内面が凹曲面状であり、互いに対向している。一方の挟持部７Ａ及び他方の挟持部７Ｂは、後に詳述する架橋部８とともに、略筒状の内方空間Ｓを形成しており、一方の挟持部７Ａ及び他方の挟持部７Ｂの前方の端部間の隙間が開口部ＳＯとなっている。
【００４０】
架橋部８は、一方の挟持部７Ａ及び他方の挟持部７Ｂに接続され、可撓性を有してそれらを架橋している。架橋部８は、一方の挟持部７Ａ及び他方の挟持部７Ｂの後方（図８、図９（ｂ）、図１０、図１１においては上方）に設けられている。本実施形態の架橋部８は、前述した特許文献２の構造及び農園芸用クリップ１の構造と同様に、一方の挟持部７Ａ及び他方の挟持部７Ｂの外面に接続されたもの、つまり、架橋部８の両端部が一方の挟持部７Ａ及び他方の挟持部７Ｂの外面に位置するものであり、軽い力で一方の挟持部７Ａ及び他方の挟持部７Ｂの内方空間Ｓとその開口部ＳＯを広げて、農園芸用支柱Ｐに容易に着脱できるようになっている。
【００４１】
一方の摘み部９Ａ及び他方の摘み部９Ｂは、架橋部８の両端部近傍から後方に向けて突出している。本実施形態の一方の摘み部９Ａ及び他方の摘み部９Ｂは、架橋部８の両端部近傍から互いに離間しながら延出している。一方の摘み部９Ａ及び他方の摘み部９Ｂはそれぞれ、例えば、長さ（前後方向の長さ）が１０〜３０ｍｍ程度、幅が２０〜３０ｍｍ程度、厚さが３〜４ｍｍ程度とすることができる。
【００４２】
係合部１０は、一方の摘み部９Ａに回動可能に設けられている。係合部１０は、一方の摘み部９Ａの内面に接続されており、通常、長板状である。また、係合部１０は、根元に薄肉部分が形成されその薄肉部分１０ａを支点として前後方向に回動（揺動）が可能である。係合部１０は、例えば、長さが２０〜３０ｍｍ程度、幅が５〜２０ｍｍ程度、薄肉部分１０ａ以外の厚さが３〜４ｍｍ程度、薄肉部分１０ａの厚さが１ｍｍ程度とすることができる。
【００４３】
係合部１０は、一対をなしている突起（突起１０ｂ、１０ｂ’及び突起１０ｃ、１０ｃ’及び突起１０ｄ、１０ｄ’）が両側面の複数箇所に形成されている。本実施形態では、一対をなしている突起は、３箇所に形成されている。突起１０ｂ〜１０ｄ’は、例えば、突起の高さ（係合部１０の幅方向の長さ）ｈ（図９（ａ）参照）が１〜３ｍｍ程度、突起の幅（係合部１０の長さ方向の長さ）が１．５〜３ｍｍ程度とすることができる。
【００４４】
他方の摘み部９Ｂには、後端面から前方に向かって略方形に切り欠かれた凹部９１が形成されている。凹部９１には、両側面に、係合部１０と係合し得る一対をなしている係合凹処９１ａ、９１ａ’（及び９１ｂ、９１ｂ’）が設けられている。
【００４５】
凹部９１の両側面には、一対をなしている係合凹処９１ａ、９１ａ’（及び９１ｂ、９１ｂ’）を画定する一対をなしている小隆起部分９１ｃ、９１ｃ’（及び９１ｄ、９１ｄ’）が形成されている。換言すれば、一対をなしている小隆起部分９１ｃ、９１ｃ’（及び９１ｄ、９１ｄ’）により、一対をなしている係合凹処９１ａ、９１ａ’（及び９１ｂ、９１ｂ’）が形成されるようになっている。一対をなしている小隆起部分９１ｃ、９１ｃ’（及び９１ｄ、９１ｄ’）は、その間を係合部１０の一対をなしている突起１０ｂ〜１０ｄ’が形成されていない部分が弾性変形しつつ通過し得るような幅になっている。本実施形態では、一対をなしている係合凹処は、前後方向に２箇所に設けられている。
【００４６】
凹部９１は、例えば、５〜２０ｍｍ程度の幅とすることができる。一対をなしている小隆起部分９１ｃ、９１ｃ’（及び９１ｄ、９１ｄ’）のそれぞれは、形状が限定されることはないが、半球状又は半楕円体状などが可能であり、高さ（他方の摘み部９Ｂの幅方向の長さ）が０．５〜１ｍｍ程度とすることができる。
【００４７】
このような構造の農園芸用クリップ６は、以下のようにして装着して、被覆シートＣを農園芸用支柱Ｐに固定することができる（図１２（ａ）、（ｂ）、図１３、図１４参照）。すなわち、農園芸用クリップ６は、係合部１０と一対をなしている係合凹処９１ａ、９１ａ’（又は９１ｂ、９１ｂ’）との係合が解除された状態で一方の摘み部９Ａ及び他方の摘み部９Ｂを指で摘むことにより、一方の挟持部７Ａ及び他方の挟持部７Ｂの内方空間Ｓの開口部ＳＯを広げて被覆シートＣとともに農園芸用支柱Ｐを入れ込む。それから、摘む力を緩めて、一方の挟持部７Ａ及び他方の挟持部７Ｂの内方空間Ｓを元に戻るように縮まらせることにより、農園芸用支柱Ｐを、被覆シートＣを介在させて一方の挟持部７Ａ及び他方の挟持部７Ｂで挟持し、被覆シートＣを農園芸用支柱Ｐに強固に固定する。
【００４８】
それから、係合部１０を前方に回動させて、係合部１０の突起１０ｂ〜１０ｄ’が形成されていない部分を、他方の摘み部９Ｂの凹部９１の一対をなしている小隆起部分９１ｃ、９１ｃ’（又は９１ｄ、９１ｄ’）の間を弾性変形しつつ通過させ、所望の一対をなしている突起１０ｂ、１０ｂ’（又は１０ｃ、１０ｃ’）を所望の一対をなしている係合凹処９１ａ、９１ａ’（又は９１ｂ、９１ｂ’）の内方に位置させる。そうすることにより、図１２（ａ）、（ｂ）、図１３、図１４に示すように、係合部１０は、一対をなしている係合凹処９１ａ、９１ａ’（又は９１ｂ、９１ｂ’）に係合する。なお、これらの図では、一対をなしている突起１０ｂ、１０ｂ’が係合凹処９１ａ、９１ａ’の内方に位置している状態が示されている。
【００４９】
係合部１０が一対をなしている係合凹処９１ａ、９１ａ’（又は９１ｂ、９１ｂ’）と係合することにより、一方の摘み部９Ａと他方の摘み部９Ｂとが係合状態になり、農園芸用クリップ６は、激しい風雨のときなどで、一方の摘み部９Ａ及び他方の摘み部９Ｂに内方に向かって力がかかっても、一方の挟持部７Ａと他方の挟持部７Ｂの内方空間Ｓの開口部ＳＯが広がらないので、農園芸用支柱Ｐから外れ難く、被覆シートＣを農園芸用支柱Ｐに固定し続けることができる。
【００５０】
農園芸用クリップ６は、外径の違う複数個の規格（例えば、外径が５．５ｍｍ又は８ｍｍなど）の農園芸用支柱Ｐに使用可能である。例えば、農園芸用支柱Ｐの外径が８ｍｍの場合、一対をなしている突起１０ｂ、１０ｂ’と一対をなしている突起１０ｃ、１０ｃ’の間の部分を、一対をなしている小隆起部分９１ｃ、９１ｃ’の間を弾性変形しつつ通過させ、一対をなしている突起１０ｂ、１０ｂ’を一対をなしている係合凹処９１ａ、９１ａ’の内方に位置させる。もし、個々の（又は製造メーカによる）農園芸用支柱Ｐの微妙な直径の差異或いは被覆シートＣの差異などに基づいて、一方の挟持部７Ａと他方の挟持部７Ｂの内方空間Ｓを更に少し縮まらせたい場合は、一対をなしている突起１０ｂ、１０ｂ’と一対をなしている突起１０ｃ、１０ｃ’の間の部分を、更に一対をなしている小隆起部分９１ｄ、９１ｄ’の間を弾性変形しつつ通過させ、一対をなしている突起１０ｂ、１０ｂ’を一対をなしている係合凹処９１ｂ、９１ｂ’の内方に位置させる。また、例えば、農園芸用支柱Ｐの外径が５．５ｍｍの場合は一対をなしている突起１０ｃ、１０ｃ’を同様にして、一対をなしている係合凹処９１ａ、９１ａ’（又は９１ｂ、９１ｂ’）の内方に位置させる。
【００５１】
農園芸用クリップ６は、農園芸用支柱Ｐから取り外すときには、係合部１０を後方に回動させて係合部１０と一対をなしている係合凹処９１ａ、９１ａ’（又は９１ｂ、９１ｂ’）の係合状態を解除し、その後、一方の摘み部９Ａ及び他方の摘み部９Ｂを指で摘むことにより、一方の挟持部７Ａ及び他方の挟持部７Ｂの内方空間Ｓの開口部ＳＯを広げて被覆シートＣとともに農園芸用支柱Ｐを取り外すことができる。
【００５２】
このように、農園芸用クリップ６は、農園芸用クリップ１と同様に、被覆シートＣを農園芸用支柱Ｐに固定するのに好適であり、規格の違いなどによって大きく外径の違う複数個の農園芸用支柱Ｐに一つの農園芸用クリップ６が使用できる。
【００５３】
以上、本発明の実施形態に係る農園芸用クリップについて説明したが、本発明は、実施形態に記載したものに限られることなく、特許請求の範囲に記載した事項の範囲内でのさまざまな設計変更が可能である。例えば、上述した架橋部３（又は８）は、一方の挟持部２Ａ及び他方の挟持部２Ｂ（又は、一方の挟持部７Ａ及び他方の挟持部７Ｂ）の後方の端部に連続して設けられるような一般的なもの（前述した特許文献１などの構造と同様なもの）とすることも可能である。
【符号の説明】
【００５４】
１、６    農園芸用クリップ
２Ａ、２Ｂ、７Ａ、７Ｂ    挟持部
３、８    架橋部
４Ａ、４Ｂ、９Ａ、９Ｂ    摘み部
４１、９１  凹部
４１ａ、４１ａ’、４１ｂ、４１ｂ’、９１ａ、９１ａ’、９１ｂ、９１ｂ’  係合凹処
５、１０    係合部
５ｂ、５ｂ’、５ｃ、５ｃ’、５ｄ、５ｄ’、５ｅ、５ｅ’、１０ｂ、１０ｂ’、１０ｃ、１０ｃ’、１０ｄ、１０ｄ’  係合部の突起
Ｓ    内方空間
ＳＯ  内方空間の開口部
Ｔ    架橋部の後方の空間
【図１】
2018088870.tif 000003
【図２】
2018088870.tif 000004
【図３】
2018088870.tif 000005
【図４】
2018088870.tif 000006
【図５】
2018088870.tif 000007
【図６】
2018088870.tif 000008
【図７】
2018088870.tif 000009
【図８】
2018088870.tif 000010
【図９】
2018088870.tif 000011
【図１０】
2018088870.tif 000012
【図１１】
2018088870.tif 000013
【図１２】
2018088870.tif 000014
【図１３】
2018088870.tif 000015
【図１４】
2018088870.tif 000016